(57)【要約】【課題】箔押しで形成される箔の光沢性と縮み印刷又は擬似エッチング印刷による装飾性とを相乗的に発揮させることができる印刷媒体を提供する。【解決手段】印刷媒体１は、基材２と、その基材上に箔押しによって形成された箔４と、その箔４に重ねて形成された縮み印刷又は擬似エッチング印刷による層とからなる。縮み印刷又は擬似エッチング印刷により形成された層は、その印刷に利用されるインキの特性から透光性を有し、ちりめん状のパターンないしエンボス柄を呈している。したがって、印刷媒体１の表面に当てられた光は、箔４の表面で光沢性をもって反射するとともに、縮み印刷又は擬似エッチング印刷により形成された層の表面により光散乱が生じ、箔４の光沢性と縮み印刷又は擬似エッチング印刷による装飾性とが相乗的に発揮される。【選択図】  図２
0003133765.tif 000002
【実用新案登録請求の範囲】
【請求項１】
基材と、その基材上に箔押しによって形成された箔と、その箔に重ねて形成された縮み印刷又は擬似エッチング印刷による層とからなることを特徴とする印刷媒体。
【請求項２】
箔における離型層の下層が部分的に露出するように積層され、縮み印刷用又は擬似エッチング印刷用の紫外線硬化型インキが離型層と露出した下層にわたって塗布されて硬化されていることを特徴とする請求項１に記載の印刷媒体。
【考案の詳細な説明】
【技術分野】
【０００１】
本考案は、本のタイトルや、商品名、ロゴなどの強調したい文字等を形成するのに利用される印刷媒体の技術分野に属するものである。
【背景技術】
【０００２】
従来、本のタイトルや、商品名、ロゴなどの強調したい文字等を、箔押しにより形成する技術が知られており（例えば、特許文献１参照）、この技術を用いれは箔の光沢により高級感のある印象的なデザインが可能である。また、装飾性を高めるため、パッケージ等を形成するプラスチックフィルムに縮み印刷を施す技術が知られており（例えば、特許文献２参照）、この技術を用いればインキの縮みによりフィルム表面に質感を持たせることができる。
【０００３】
【特許文献１】特開平１−１１３２９８号公報
【特許文献２】特開２００２−１０３５０３号公報
【考案の開示】
【考案が解決しようとする課題】
【０００４】
上記した箔押しの技術は、金属蒸着箔をホットスタンピングにより転写して印刷を行うものであるが、金属光沢が得られるという装飾効果が発揮されるので、それ以上の装飾効果を出すことはあまり考えられていなかった。一方、上記した縮み印刷の技術は、フィルム表面に紫外線硬化型インキをスクリーン印刷で塗布し、紫外線を照射して微細な皺を有する硬化皮膜を形成させるものであるが、紫外線硬化型インキを安定的に定着させるには、プラスチックの基材に直接塗布することが固定的に観念されていたため、縮み印刷自体により装飾性を向上させる以上に装飾性を高めることは考えられていなかった。また、光沢色のある蒸着紙に縮み印刷を施すとして、本来の色合いを出すため、蒸着紙にＵＶオフセット印刷によって白色インキを印刷してホワイト止めをしたとしても、暗くなってしまい、縮み印刷の装飾性を充分に発揮することができないし、さらにはコストも高くなってしまう。
【０００５】
本考案は、上記のような事情に鑑みてなされたものであり、その目的とするところは、箔押しで形成される箔の光沢性と縮み印刷又は擬似エッチング印刷による装飾性とを相乗的に発揮させることができる印刷媒体を提供することにある。
【課題を解決するための手段】
【０００６】
上記の目的を達成するため、本考案の印刷媒体は、基材と、その基材上に箔押しによって形成された箔と、その箔に重ねて形成された縮み印刷又は擬似エッチング印刷による層とからなることを特徴とする。
【０００７】
この構成によれば、箔押しで形成される箔と縮み印刷又は擬似エッチング印刷により形成された層は重なっている。ここで、縮み印刷又は擬似エッチング印刷により形成された層は、その印刷に利用されるインキの特性から透光性を有し、ちりめん状のパターンないしエンボス柄を呈している。したがって、印刷媒体の表面に当てられた光は、箔の表面で光沢性をもって反射するとともに、縮み印刷又は擬似エッチング印刷により形成された層の表面により光散乱が生じ、箔の光沢性と縮み印刷又は擬似エッチング印刷による装飾性とが相乗的に発揮される。
【０００８】
また、上記印刷媒体において、箔における離型層の下層が部分的に露出するように積層され、縮み印刷用又は擬似エッチング印刷用の紫外線硬化型インキが離型層と露出した下層にわたって塗布されて硬化されているように構成するとよい。この構成により、紫外線硬化型インキが、離型層やその下層に対して安定的に定着し、縮み印刷ないし擬似エッチング印刷を安定して施すことができる。
【考案の効果】
【０００９】
本考案の印刷媒体によれば、箔押しで形成される箔の光沢性と縮み印刷又は擬似エッチング印刷による装飾性とを相乗的に発揮させることができる。
【考案を実施するための最良の形態】
【００１０】
以下、図面を参照して本考案による印刷媒体の好適な実施形態について詳細に説明する。
【００１１】
＜第１実施形態＞
図１は本第１実施形態に係る印刷媒体１の正面図である。この図１に示すように、印刷媒体１の用紙（基材）２には、自動車のシルエットをした領域３や文字を形成する領域５に、箔押しによって形成された箔に重ねて縮み印刷が施されている。このように、箔押しと縮み印刷が重ねて施される領域は、領域３，５のごとく種々の絵柄や、文字、記号とするとよい。
【００１２】
図２は図１に示す印刷媒体１のＩＩ−ＩＩ断面図である。この図２に示すように、用紙２の上に箔押しにより箔４が形成され、その箔４に重ねて縮み印刷が施されている。箔４は、接着層１１と蒸着層１２と着色層１３と離型層１４とがこの順で積層されることにより構成されている。蒸着層１２に用いられる金属としては、アルミニウム、金、銀、銅、錫などが例示できる。
【００１３】
続いて、図３により印刷媒体１の作製方法について説明する。図３は印刷媒体１の作製工程図である。ここでは、領域３における箔押し及び縮み印刷の工程を説明するが、領域５における工程も同様である。
【００１４】
図３（ａ）に示すように、接着層１１、蒸着層１２、着色層１３、離型層１４及びベースフィルム１５により構成される箔押し用シート１７を用紙２に対して接着する。そして、押当て面が特定の形状をした版８を加熱し、圧力をかけて矢印方向にベースフィルム１５の上から押し当てる。そうすると、版８が押し当てられた領域３の接着層１１は硬化して用紙２に接着する。
【００１５】
そして、箔押し用シート１７を用紙２から剥がすと、図３（ｂ）のように、版８が押し当てられなかった領域の箔押し用シート１７が剥がれ、版８が押し当てられた領域３ではベースフィルム１５が離型層１４から剥がれる。その結果、領域３には、箔４が用紙２に接着されて残っている状態となる。
【００１６】
次に、図３（ｃ）に示すように、縮み印刷用の紫外線硬化型インキ６をスクリーン印刷によって箔４に重なるように塗布する。そして、ＵＶランプによって紫外線を照射し１次硬化させることによって、紫外線硬化型インキ６の表面が硬化する。さらに、ＵＶランプによって紫外線を照射し２次硬化させると、図３（ｄ）に示すように、紫外線硬化型インキ６の表面がちりめん状のパターンに硬化する。
【００１７】
縮み印刷においては、紫外線の照射時間や紫外線硬化型インキ６の盛り方（図３（ｃ）参照）等などを変えることにより、ちりめん状のしわの形状を調整することができる。また、紫外線硬化型インキ６の透明度の高低によって、グロスとしたりセミグロスとしたりすることもできる。
【００１８】
ここで、紫外線硬化型インキ６を箔４に対して安定的に定着させ、安定した品質の縮み印刷を実現するためには、離型層１４を薄くするとよい。例えば、図４に示すように、離型層１４の下層である着色層１３が離型層１４から部分的に露出するように、離型層１４を薄く着色層１３に積層するようにすれば、着色層１３や離型層１４に対して紫外線硬化型インキ６が安定的に定着するので、縮み印刷を安定して施すことができる。なお、図４は図３（ｂ）に対応する工程の図であり、図４では離型層１４が断片的に散在しているよう図示されているが、離型層１４が着色層１３になじむように散在していたり、霧吹きで点状に散在していてもよい。
【００１９】
このように、本第１実施形態によれば、用紙２に箔押しで形成された箔４と、縮み印刷により形成された紫外線硬化型インキ６による層は重なっており、紫外線硬化型インキ６の層は、透光性を有し、ちりめん状のパターンを呈している。したがって、印刷媒体１の表面に光が当てられると、光は箔４で光沢性をもって反射するとともに、縮みあがった紫外線硬化型インキ６の層表面により光散乱が生じ、箔４の光沢性と縮み印刷による装飾性とが相乗的に発揮されることとなる。
【００２０】
＜第２実施形態＞
次に、第２実施形態について説明する。第２実施形態は、縮み印刷の代わりに擬似エッチング印刷を施すものである。
【００２１】
第２実施形態による構成、作製方法は、第１実施形態で説明した図１〜図４とほぼ同様であるが、箔４に対して塗布する紫外線硬化型インキ６が、擬似エッチング印刷用の紫外線硬化型インキであり、これを硬化させるための紫外線照射の条件が異なる。紫外照射の回数も１回で紫外線硬化型インキ６を硬化させることとなる。
【００２２】
擬似エッチング印刷を採用した場合、縮み印刷による表面よりも凹凸の起伏が小さくなるが、箔４と擬似エッチング印刷による紫外線硬化型インキ６の層とは重なっており、紫外線硬化型インキ６は、透光性を有し、エンボス柄を呈している。したがって、印刷媒体１の表面上に当てられた光は、箔４の表面で光沢性をもって反射するとともに、擬似エッチング印刷により形成された層の表面により光散乱を生じ、箔４の光沢性と擬似エッチング印刷による装飾性とが相乗的に発揮されることになるのである。
【００２３】
以上、本考案の実施の形態について詳細に説明してきたが、本考案による印刷媒体は、上記第１及び第２実施形態に限られるものではなく、本考案の趣旨を逸脱しない範囲において種々の変更が可能であることは当然のことである。
【００２４】
例えば、基材として用紙２を用いたが、プラスチックや布を用いてもよい。また、印刷媒体１の適用としては、書籍のカバーやグリーティング・カード、会員カード、トレーディング・カード、ポスター、ＣＤ・ＤＶＤ用ジャケット、各種フィルムの表紙、パンフレット、ＰＯＰ(Point of Purchase advertising）、広告用印刷物、布製のぼり等を例示することができる。また、箔４をホログラムに形成してもよい。なお、ホログラム箔に対して縮み印刷ないし擬似エッチング印刷を施す場合には、ホログラム箔でデザインされた形状に対して、わずかにずらして印刷すれば装飾的に効果的である。
【００２５】
また、箔押し用シート１７は、接着層１１、蒸着層１２、着色層１３、離型層１４及びベースフィルム１５により構成されていたが、用紙２に接着するための接着層１１の位置と、版１８を押し当てた後にベースフィルム１５を剥がすための離型層１４のベースフィルム１５に対する位置を除いては、各層の積層順序や構成について、上記実施形態に限られない。
【００２６】
また、縮み印刷ないし擬似エッチング印刷は、箔４と同じ形状・大きさとなるよう重ねて施したが、箔４による図柄や文字の輪郭の縁部に沿って、縮み印刷ないし擬似エッチング印刷を施さない領域を設けてもよいし、箔４による図柄や文字の輪郭に関係なく、箔４上の任意の領域に、或いは、箔４から用紙２にわたって縮み印刷ないし擬似エッチング印刷を施してもよい。
【図面の簡単な説明】
【００２７】
【図１】本発明の第１実施形態に係る印刷媒体の正面図である
【図２】図１に示す印刷媒体のＩＩ−ＩＩ断面図である。
【図３】印刷媒体の作製方法を示す工程図である。
【図４】印刷媒体の作製工程におけるインキを塗布する前の工程図である。
【符号の説明】
【００２８】
１…印刷媒体、２…用紙（基材）、３…領域、４…箔、５…領域、６…紫外線硬化型インキ、８…版、１１…接着層、１２…蒸着層、１３…着色層、１４…離型層、１５…ベースフィルム、１７…箔押し用シート。
【図１】
0003133765.tif 000003
【図２】
0003133765.tif 000004
【図３】
0003133765.tif 000005
【図４】
0003133765.tif 000006
【手続補正書】
【提出日】平成19年4月12日(2007.4.12)
【手続補正１】
【補正対象書類名】図面
【補正対象項目名】図１
【補正方法】変更
【補正の内容】
【図１】
0003133765.tif 000007